(57)【特許請求の範囲】
【請求項１】
一対の縦ヒートシールロールに装着される少なくとも一対のシール体によってフイルムを挟持して縦シールするとともに、前記フイルムをフイルム原反から引き出す縦シール機構と、
少なくとも一方の前記縦ヒートシールロールを他方の前記縦ヒートシールロールに流体圧力の作用により押し圧することで前記フイルムを前記シール体によって挟持させる押圧手段と、
前記押圧手段の押圧力を電気的に調整可能とする流体圧力調整手段と、
前記シール体によって前記フイルムを挟持することを許可する操作手段と、
前記縦シール機構が動作していない場合に前記操作手段からの入力を確認すると、品種に応じた適正なる第１の押圧力より低い圧力の第２の押圧力で前記フイルムが挟持されるように前記流体圧力調整手段を制御するとともに、前記縦シール機構が動作してから前記第１の押圧力によって前記フイルムを挟持するように前記流体圧力調整手段を制御する制御手段と、
を備えてなることを特徴とする充填包装機。
【請求項２】
前記制御手段は、前記第１の押圧力から前記第２の押圧力への切り換えにおいて、徐々に大きくなるように前記流体圧力調整手段を制御してなることを特徴とする請求項１に記載の充填包装機。
【請求項３】
品種毎の前記押圧力を設定入力可能な設定値入力手段を備えてなることを特徴とする請求項１もしくは請求項２に記載の充填包装機。
【請求項４】
一対の縦ヒートシールロールに装着される少なくとも一対のシール体によってフイルムを挟持して縦シールするとともに、前記フイルムをフイルム原反から引き出す縦シール機構を備えた充填包装機の制御方法であって、
少なくとも一方の縦ヒートシールロールを他方の縦ヒートシールロールに押し圧することで前記フイルムを前記シール体によって挟持させる押圧手段と、前記押圧手段の押圧力を調整可能とする流体圧力調整手段とを備え、
前記縦シール機構が動作していない場合に、操作手段の入力に応じて品種に応じた適正なる第１の押圧力より低い圧力の第２の押圧力で前記フイルムを挟持するように前記流体圧力調整手段を制御し、前記縦シール機構が動作してから押圧力を強めるべく前記第１の押圧力によって前記フイルムを挟持するように前記流体圧力調整手段を制御する充填包装機の制御方法。
【請求項５】
前記第１の押圧力から前記第２の押圧力への切り換えにおいて、徐々に大きくなるように前記流体圧力調整手段が制御されることを特徴とする請求項４に記載の充填包装機の制御方法。
【請求項６】
前記第１，第２の押圧力は、前記包装袋の包装形態に応じて設定可能な設定値入力手段によって設定されることを特徴とする請求項４もしくは請求項５に記載の充填包装機の制御方法。
【発明の詳細な説明】
【０００１】
【発明の属する技術分野】
本発明は、ロール状に巻かれたフイルムを製袋して、その包装袋内に液体，粉体あるいは粘稠物質等の内容物を充填する充填包装機及びその制御方法に関するものである。
【０００２】
【従来の技術】
液体，粉体あるいは粘稠物質等の被充填物を充填する充填包装機として、例えば特開平１−１５３４１０号公報や特開平２−４６２６号公報あるいは特開平２−３２９２９号公報等に開示されるものがある。この充填包装機は、機台を有し、この機台の側部には一対の原反軸が設けられ、この原反軸にフイルムを巻回した原反が脱着交換可能に保持されている。前記機台の上部には、フイルム案内部及びフイルム折返し部を配設し、前記機台の前面部に上側から縦シール機構（フイルム引き出し機構）、第１，第２の横シール機構、カッター機構が備えられている。充填包装機は、原反よりフイルムを前記縦シール機構により引出し、前記フイルム案内部を介して前記フイルム折返し部に導出し、前記フイルム折返し部に設けられたガイドによりフイルムを長手方向に二つ折りにして、前記縦シール機構の対向する一対の縦ヒートシールロールに設けられたシール体によってフイルムの折返し端部同士を重ね合わせて熱シールして送り出し、この縦シールによりフイルムを筒状に形成し、前記第１の横シール機構の対向する一対のヒートシールロールに設けられたシール体によってフイルムを横方向に横シールし、この横シールにより底部を形成し、これにより有底筒状に形成されたフイルム内に充填機構の充填ノズルにより例えば食料品等の被充填物（内容物）を充填し、更にフイルムが送られて再び第１の横シール機構のヒートシールロールに設けられたシール体によりフイルムの袋口側を横シールして前記被充填物を封止し、この横シール箇所を第２の横シール機構の横ロールにより更に再押し圧（加圧封止）し、次いで横シール部分を、回転式の前記カッター機構で切断することにより包装袋を得るものである。
【０００３】
かかる充填包装機の前記縦シール機構は、ヒータを備えた一対の縦ヒートシールロールに少なくとも一対のシール体が装着され、前記縦ヒートシールロールとともに回転駆動する前記各シール体によって前記フイルムを所定圧力で挟持し、前記フイルムの縦シールを得るものである。
【０００４】
【発明が解決しようとする課題】
かかる充填包装機は、前記縦シール機構をフイルムの引き出し機構として兼用して設けられることがある。このような充填包装機は、運転前に前記フイルムを前記フイルム折返し部，前記縦シール機構及び各横シール機構にセットした後、充填包装機に備えられる操作手段を用いて、前記引き出し機構である前記縦シール機構の少なくとも一対の前記シール体によって、前記フイルムの材質や品種毎の包装形態に応じた例えば４００〜５００ｋｐａの強い圧力で前記フイルムを挟持状態とするため、前記シール体の温度が１８０℃〜２５０℃の高温状態の前記縦シール機構において、溶融フイルムである前記フイルムのシール層が軟化しシール不良が生じ、このような状態の前記フイルムを一対の縦ヒートシールロールに備えられる前記シール体によって挟持して送り出すと前記シール不良箇所が破れたり、あるいは前記フイルムのシール層と前記シール体とが付着し、前記フイルムの送りが円滑に行われずに蛇行が生じてしまいといった問題点を有している。
【０００５】
そこで本発明は、前記問題点に着目し、フイルムに対して縦シールを行う縦シール機構を前記フイルムの引き出し機構として兼用する充填包装機であっても、前記充填包装機の運転開始時において良好な前記縦シールを得ることが可能であり、かつ前記縦シール機構によって良好なフイルム引き出し動作を可能とする充填包装機及びその制御方法を提供するものである。
【０００６】
【課題を解決するための手段】
本発明は、前記課題を解決するため、一対の縦ヒートシールロールに装着される少なくとも一対のシール体によってフイルムを挟持して縦シールするとともに、前記フイルムをフイルム原反から引き出す縦シール機構と、少なくとも一方の前記縦ヒートシールロールを他方の前記縦ヒートシールロールに流体圧力の作用により押し圧することで前記フイルムを前記シール体によって挟持させる押圧手段と、前記押圧手段の押圧力を電気的に調整可能とする流体圧力調整手段と、前記シール体によって前記フイルムを挟持することを許可する操作手段と、前記縦シール機構が動作していない場合に前記操作手段からの入力を確認すると、品種に応じた適正なる第１の押圧力より低い圧力の第２の押圧力で前記フイルムが挟持されるように前記流体圧力調整手段を制御するとともに、前記縦シール機構が動作してから前記第１の押圧力によって前記フイルムを挟持するように前記流体圧力調整手段を制御する制御手段と、を備えてなるものである。
【０００７】
また前記制御手段は、前記第１の押圧力から前記第２の押圧力への切り換えにおいて、徐々に大きくなるように前記流体圧力調整手段を制御してなるものである。
【０００８】
また、品種毎の前記押圧力を設定入力可能な設定値入力手段を備えてなるものである。
【０００９】
また、一対の縦ヒートシールロールに装着される少なくとも一対のシール体によってフイルムを挟持して縦シールするとともに、前記フイルムをフイルム原反から引き出す縦シール機構を備えた充填包装機の制御方法であって、少なくとも一方の縦ヒートシールロールを他方の縦ヒートシールロールに押し圧することで前記フイルムを前記シール体によって挟持させる押圧手段と、前記押圧手段の押圧力を調整可能とする流体圧力調整手段とを備え、前記縦シール機構が動作していない場合に、操作手段の入力に応じて品種に応じた適正なる第１の押圧力より低い圧力の第２の押圧力で前記フイルムを挟持するように前記流体圧力調整手段を制御し、前記縦シール機構が動作してから押圧力を強めるべく前記第１の押圧力によって前記フイルムを挟持するように前記流体圧力調整手段を制御するものである。
【００１０】
また、前記第１の押圧力から前記第２の押圧力への切り換えにおいて、徐々に大きくなるように前記流体圧力調整手段が制御されるものである。
【００１１】
また、前記第１，第２の押圧力は、前記包装袋の包装形態に応じて設定可能な設定値入力手段によって設定されるものである。
【００１２】
【発明の実施の形態】
以下、本発明の実施の形態を添付図面に記載した実施例に基づき説明する。
【００１３】
図１において、充填包装機は、機台１の側方に原反軸２が設けられ、この原反軸２にフイルムＦをロール状に巻回したフイルム原反Ｒが着脱交換可能に設けられている。機台１の上部には、フイルム案内部３及びフイルム折返し部４が配設され、機台１の前面部には、上側から縦シール機構５と、第１，第２の横シール機構６，７と、包装袋ＦＷを切断するカッター機構８とがそれぞれ備えられている。
【００１４】
フイルムＦは、フイルム原反Ｒから縦シール機構５により引き出され、フイルム案内部３を介してフイルム折返し部４に導出され、フイルム折返し部４に設けられた折返しガイドにより長手方向に沿って二つ折りにされ、縦シール機構５の対向する一対のヒートシールロール（縦ヒートシールロール）５ａに設けられたシール体５ｇによりフイルムＦの両側端部がヒートシールされて側端シール部（縦シール部）ＦＨが形成されて送り出される。そして、側端シール部ＦＨにより筒状に形成されたフイルムＦは、第１の横シール機構６の対向する一対のヒートシールロール６ａに設けられたシール体６ｂにより横方向にヒートシールされて横シール部ＦＳが形成され、包装袋ＦＷの底部が形成される。これにより有底筒状に形成されたフイルムＦは、充填機構９により例えば、ソースや醤油等の液体からなる被充填物（内容物）が充填され、更にフイルムＦが送られて再び第１の横シール機構６のヒートシールロール（横ヒートシールロール）６ａに設けられたシール体６ｂによりフイルムＦの袋口部が横方向にヒートシールされて前記被充填物が封止される。そして、前記被充填物の上下を横方向にヒートシールした横シール部ＦＳ箇所を備えたフイルムＦは、第２の横シール機構７の一対のヒートシールロール７ａに設けられたシール体７ｂによって横シール部ＦＳが再押し圧される。次いで前記被充填物が封入され、連続した包装袋ＦＷとなるフイルムＦの側端シール部ＦＨの略中間部をカッター機構８により切断することで、個々の包装袋ＦＷが得られることになる。尚、第２の横シール機構７によるフイルムＦの再押し圧は、ヒートシールもしくは熱をかけない単なる押し圧のどちらであっても良い。
【００１５】
図２を用いて本発明の主要部である縦シール機構５について説明する。
【００１６】
縦シール機構５は、機台１の全面に軸受台５ｂが取り付けられ、各軸受台５ｂ間に一方のヒートシールロール（縦ヒートシールロール）５ａが回動可能に軸受され、各軸受台５ｂに上下一対のガイド５ｃが固定突設され、ガイド５ｃの先端部分に支持板５ｄが固定され、ガイド５ｃ間にスライド台５ｅが摺動可能に架設されている。そして、スライド台５ｅに他方のヒートシールロール５ａを回動可能に軸受し、一方のヒートシールロール５ａと他方のヒートシールロール５ａとに夫々互いに歯合するギア５ｆが固定され、一方のギア５ｆは被動ギアを形成し、サーボモータ等の駆動手段（図示しない）に連結される駆動ギア（図示しない）と歯合する。
【００１７】
一対のヒートシールロール５ａには、リング状のシール体５ｇがフイルムＦの両サイドに対応するようにそれそれ一対に配設され、各シール体５ｇ間には断熱板５ｈが取り付けられている。各ヒートシールロール５ａ内には、ヒータ（図示しない）が内蔵され、スライド台５ｅとギア５ｆとの間に配設される外部から給電可能な給電機構５ｊが前記ヒータへの給電を行う。
【００１８】
また、一対のヒートシールロール５ａには、各ヒートシールロール５ａの各シール体５ｇ間を定める設定部５ｋが備えられ、フイルムＦへの過剰な押し圧を防ぐことができる。シール板５ｇ間の押圧調整にあっては、スライド台５ｅをピストンで軸受台５ｂ方向へ押し圧する状態で支持板５ｄに配設された例えば単動シリンダからなる押圧手段５ｍによる押し圧量調節によってなされる。
【００１９】
次に、図３を用いて本発明の主要部となる電気的構成について説明する。
【００２０】
本発明の主要部の電気的構成は、制御手段２０と、生産条件設定手段２１（設定値入力手段）と、押圧許可操作手段２２と、操作手段２３と、第１，第２電空レギュレータ（流体圧力調整手段）２４，２５と、制御手段２０と、生産条件設定手段２１，押圧許可操作手段２２，操作手段２３及び第１，第２電空レギュレータ２４，２５とを電気的に接続するための入出力（Ｉ／０）インターフェイス回路２６とから構成されている。尚、本発明の実施の形態において、縦シール機構５における流体圧力調整は、一対のヒートシールロール５ａを左右独立した状態で押し圧するために第１，第２の電空レギュレータ２４，２５が設けられている。
【００２１】
制御手段２０は、例えばマイクロコンピュータからなるもので、後で詳述する生産条件設定手段２１によって入力される生産条件に基づいて所定の演算処理を行い、第１，第２の電空レギュレータ２４，２５を制御することで、縦シール機構５における押圧力の制御を行うもので、演算処理用プログラムや前記押圧力の制御用プログラムが記憶されたＲＯＭや前記演算処理結果を一時的に記憶するＲＡＭ等を有している。また、制御手段２０は縦シール機構５の図示しない縦シール機構用モータを前記生産条件に基づいて駆動制御するものである。尚、制御手段２０は、充填包装機のメインコンピュータとして機能する制御手段によって兼用されるものであっても良い。
【００２２】
生産条件設定手段２１は、例えばテンキー等の入力手段や前記入力手段による設定値を表示するモニタとを一体に備えたタッチパネルから構成されるもので、フイルムＦの送り速度（以下、ライン速度という）や品種毎の包装形態に応じた包装袋ＦＷの長さ（シールピッチ）及び被充填部物の充填量、本発明の特徴となる後で詳述する押圧力（仮押圧力，本押圧力）等の生産条件を設定及び変更可能とするものである。また、生産条件設定手段２１は、品種毎の包装形態に応じた前記生産条件を記憶するためのバックアップＲＡＭやＥＥＰＲＯＭ等の記憶手段を有しているため、充填包装機の電源がオフされても設定された前記生産条件はそのまま保持される。
【００２３】
押圧許可操作手段２２は、縦シール機構５の一対のヒートシールロール５ａに装着されるシール体５ｇによって、フイルムＦを挟持することを許可するものであり、例えば専用のトグルスイッチが用いられる。尚、押圧許可操作手段２２としては、生産条件設定手段２１を構成する前記タッチパネルに設けられる専用のタッチスイッチ等によって構成しても良い。
【００２４】
操作手段２３は、充填包装機を運転させる運転開始スイッチ２３ａと、充填包装機を停止させる運転停止スイッチ２３ｂであり、専用の押しボタンスイッチであったり、生産条件設定手段２１を構成する前記タッチパネルに設けられる専用のタッチスイッチ等によって構成される。
【００２５】
第１，第２の電空レギュレータ２４，２５は、制御手段２０から出力される制御信号に基づいて、流量弁を電気的に開閉するものであり、縦シール機構５における一方のヒートシールロール５ａを他方にヒートシールロール５ａに移動させ、ヒートシールロール５ａに設けられる二対のシール体５ｂによってフイルムＦを挟持させるための押圧手段５ｍに、生産条件設定手段２１によって設定される前記押圧力に基づくエアー圧を供給するものである。
【００２６】
尚、第１，第２の電空レギュレータ２４，２５は、前記押圧力に基づいて縦シール機構５の押圧手段５ｍへエアー圧を付与するものであるが、第１，第２の電空レギュレータ２４，２５と、各電空レギュレータ２４，２５に対応する各押圧手段５ｍとの間に付与されるエアー圧を監視する圧力検出手段（図示しない）を備えることが望ましい。前記圧力検出手段は、例えばＳＭＣ株式会社製の型式ＩＳＥ４０からなるもので、制御手段２０から出力されるオートシフト信号（パルス信号）により、前記オートシフト信号入力時のエアー圧を基準圧力値として記憶するとともに、前記基準圧力値から上限値及び下限値の許容範囲が設定可能とされ、計測値であるエアー圧が前記基準圧力値の前記許容範囲に入っているか否かの判定を行い、前記計測値が前記許容範囲に入っていない場合に空圧異常なるエラー信号を制御手段２０に出力できるものである。
【００２７】
従って、本発明のように縦シール機構５の押圧手段５ｍに異なる前記押圧力（後述する）となるエアー圧を付与する場合に、前記エアー圧を故意的に可変するタイミングに合わせて前記オートシフト信号を制御手段２０から前記圧力検出手段へ出力するようにすれば、前記押圧力に合わせた圧力監視を制御手段２０による煩雑な判定処理用プログラムを用いることなく行うことができる。尚、第１，第２の横シール機構６，７にも同様に前記圧力検出手段を備えることで、横シール機構における異常圧力を検出することができる。
【００２８】
次に、図４を用いて本発明の主要部である縦シール機構５の押圧力の制御方法について説明する。
【００２９】
図４における縦シール機構５の押圧手段５ｍの空圧制御をなす第１，第２の電空レギュレータ２４，２５の空圧制御パターンＳは、仮押圧力（第２の押圧力）であるエアー圧を押圧手段５ｍに付与するための第１制御パターンｓ１と、本押圧力（第１の押圧力）であるエアー圧を押圧手段５ｍに付与するための第２の制御パターンｓ２と、第１の制御パターンｓ１と第２の制御パターンｓ２とを結ぶ第３の制御パターンｓ３とからなる。尚、第１，第２の電空レギュレータ２４，２５における空圧制御パターンＳは同一なものとする。
【００３０】
ここで、仮押圧力と、本押圧力とについて詳述する。前記仮押圧力は、例えば１００〜２００ｋｐａによって縦シール機構５の一方のヒートシールロール５ａを他方のヒートシールロール５ａに押圧する押圧力であり、フイルＦをフイルム折返し部４，縦シール機構５及び第１，第２の横シール機構６，７にセットした後に、縦シール機構５によってフイルムＦをフイルム原反Ｒから引き出すことが可能なフイルムＦを一対の縦ヒートシールロール５ａに装着されるシール体５ｇによって仮止めできる程度の押圧力である。前記本押圧力は、例えば４００〜５００ｋｐａによって縦シール機構５の一方のヒートシールロール５ａを他方のヒートシールロール５ａに押圧する押圧力であり、充填包装機の通常運転時において、フイルムＦの厚さや材質等の品種毎の生産条件に応じた適正なる押圧力となる。尚、各押圧力は、前記生産条件によって任意に変更される。
【００３１】
制御手段２０は、押圧許可操作手段２２からの入力信号ａを確認すると、縦シール機構５の一対のヒートシールロール５ａに備えられるシール体５ｇよってフイルムＦを仮止めするため前記仮押圧に応じたエアー圧が押圧手段５ｍに付与されるように、第１，第２の電空レギュレータ２４，２５に制御信号を出力し、押圧力を０ｋｐａから仮押圧力へと変更する。これが図４で示す第１の制御パターンｓ１である。
【００３２】
次に制御手段２０は、充填包装機の運転開始スイッチ２３ａの入力有無を確認し、充填包装機の運転が開始されたことを示す運転開始スイッチ２３の入力信号ｂの入力を確認すると、前記仮押圧力から前記本押圧力へと切り換えるべく制御を行う。制御手段２０は、運転開始スイッチｂの入力を確認してから所定時間ｔ後に前記本押圧力になるように押圧力を除々（段階的）に高めるための処理を行う。尚、制御手段２０は入力信号ｂの入力時において、フイルムＦの送り速度が、生産条件設定手段２１によって設定されるフイルムＦの送り速度になるように縦シール機構５の駆動用モータ（駆動手段）を回転制御する。
【００３３】
制御手段２０は、所定時間ｔ内の押圧力を除々に高める方法としては、例えば以下に示す方法がある。
押圧力の増加分＝（本押圧力−仮押圧力）／所定時間ｔ
【００３４】
即ち、制御手段２０は、所定時間ｔ内の１秒当たりの押圧量の増加分を求め、て前記増加分を累積することで前記仮押圧力から前記本押圧力へ達するまで除々に押圧量を増加していくものである。これが図４で示す第３の制御パターンｓ３である。
【００３５】
制御手段２０は、第３の制御パターンｃの終了後に充填包装機の通常運転時における前記本押圧力によってフイルムＦを挟持させるべく第２の制御パターンｓ２によって第１，第２の電空レギュレータ２４，２５を制御する。そして制御手段２０は、充填包装機の運転を停止させる運転停止スイッチ２３ｂの入力信号ｃの入力を確認すると、前記本押圧力から前記仮押圧力へと速やかに切り換えを行う制御を行う。
【００３６】
そして、制御手段２０は、押圧許可操作手段２２のオフとともに、前記仮押圧力によるフイルムＦの挟持状態を、押圧力が０ｋｐａなる非挟持状態に移行させるものである。
【００３７】
かかる充填包装機は、一対の縦ヒートシールロール５ａに装着される少なくとも一対のシール体５ｇによってフイルムＦを挟持して縦シールするとともに、フイルムＦをフイルム原反Ｒから引き出す縦シール機構５を備えたものに関し、一方の縦ヒートシールロール５ａを他方の縦ヒートシールロール５ａに押し圧することでフイルムＦをシール体５ｇによって挟持させる押圧手段５ｍと、押圧手段５ｍの押圧力を調整可能とする第１，第２の電空レギュレータ２４，２５とを備え、縦シール機構５が動作していない場合に、押圧許可手段２２の入力に応じて品種に応じた適正なる本押圧力より低い圧力の仮押圧力でフイルムＦを挟持するように第１，第２の電空レギュレータ２４，２５を制御し、縦シール機構５が動作してから押圧力を強めるべく前記本押圧力によってフイルムＦを挟持するように第１，第２の電空レギュレータ２４，２５を制御するものであることから、充填包装機の運転前に仮止め程度の押圧力を有する前記仮押圧力によってフイルムＦを挟持状態とすることから、溶融フイルムであるフイルムＦのシール層が軟化してもシール体５ｇによる強固なシール状態（強い押圧力によるフイルムＦの挟持状態）が確保されないことからシール不良が発生しなくなり、しかもその仮押圧力によってフイルムＦの所定の位置を保持した状態にて縦シール機構５のフイルムＦの引き出し動作が行われるため、フイルムＦの破れが発生せず、またフイルムＦの移送時の蛇行を防止することが可能となる。
【００３８】
また充填包装機は、前記仮押圧力から前記本押圧力への切り換えにおいて、徐々に大きくなるように第１，第２の電空レギュレータ２４，２５を制御するものであることから、縦シール機構５の引き出し動作におけるフイルムＦの破れ、あるいはフイルムＦの引き出しの際の蛇行をより効果的に防止することが可能となる。
【００３９】
また、充填包装機は、生産条件設定手段２１によって前記包装袋の包装形態に応じた前記各押圧力を設定可能とすることで、品種毎に前記各押圧力を設定できることから、他品種の包装袋にも対応できる充填包装機を提供することが可能となる。
【００４０】
尚、本発明の実施の形態では、縦シール機構５における各押圧手段５を押圧制御する第１，第２の電空レギュレータ２４，２５を単一の空圧制御パターンａによって制御するようにしているが、前述した各押圧力を備えた異なる空圧制御パターンによって、第１，第２の電空レギュレータ２４，２５をそれぞれ制御するようにしても良い。
【００４１】
また、本発明の実施の形態では、第１，第２の電空レギュレータ２４，２５によって縦シール機構５における各押圧手段５ｍを押圧制御するものであったが、単一の電空レギュレータによって各押圧手段５ｍを制御するものに本発明を適用しても同様な効果が得られるものである。
【００４２】
また、本発明の実施の形態では、仮押圧力から本押圧力の切り換えにおいて、所定時間ｔを設けて除々に大きくなるように切り換えるものであったが、所定時間ｔを設けず、仮押圧力から本押圧力へ一回で切り換えるものであっても縦シール機構５の送り出し動作におけるフイルムＦの破れ、あるいはフイルムＦの引き出しの際の蛇行を防止できる。
【００４３】
また、本発明の実施の形態では、仮押圧力を押圧許可操作手段２２の手動操作によって付与し、その後充填包装機の運転開始スイッチの入力に応じて仮押圧力から本押圧力に切り換えるものであったが、本発明にあっては、操作手段である運転開始スイッチ２３ａの入力に応じて仮押圧力を縦シール機構５の押圧手段５ｍに与え、その後本押圧力に切り換えるといった一連の押圧制御を自動的に行うようにしても良い。
【００４４】
また、本発明の実施の形態では、フイルムＦの両端部を縦シールする包装袋ＦＷに本発明を適用したが、例えば、フイルムの両端部と、前記フイルムの幅方向の略中心とを縦シールする多連式の包装袋を製造する充填包装機に本発明を適用することによって、更に効果的である。
【００４５】
また、本発明の実施の形態では、生産条件設定手段２１に仮，本押圧力を含む生産条件を不揮発的に記憶するようにしたが、フラッシュメモリやＥＥＰＲＯＭ等の記憶手段を専用に設け、この記憶手段に品種毎の包装形態に応じた生産条件を記憶するようにしても良い。
【００４６】
【発明の効果】
本発明は、一対の縦ヒートシールロールに装着される少なくとも一対のシール体によってフイルムを挟持して縦シールするとともに、前記フイルムをフイルム原反から引き出す縦シール機構を備えた充填包装機及びその制御方法に関し、前記充填包装機の運転開始時において良好な前記縦シールを得ることが可能であり、かつ前記縦シール機構によって良好なフイルム引き出し動作を可能とする。
【図面の簡単な説明】
【図１】本発明の実施の形態の充填包装機を示す正面図。
【図２】同上実施の形態の縦シール機構を示す図。
【図３】同上実施の形態の充填包装機の電気的構成を示す図。
【図４】同上実施の形態の押圧力に関する制御方法を説明する。
【符号の説明】
５  縦シール機構
５ａ  縦ヒートシールロール
５ｍ  押圧手段
６  第１の横シール機構
７  第２の横シール機構
２０  制御手段
２１  生産条件設定手段
２２  押圧許可操作手段
２３  操作手段
２３ａ  運転開始スイッチ
２３ｂ  運転停止スイッチ
２４  第１の電空レギュレータ（流体圧力調整手段）
２５  第２の電空レギュレータ（流体圧力調整手段）
Ｆ  フイルム
ＦＨ  縦シール部
ＦＳ  横シール部
ＦＷ  包装袋
【図１】
0003674776.tif 000002
【図２】
0003674776.tif 000003
【図３】
0003674776.tif 000004
【図４】
0003674776.tif 000005